(57)【要約】【課題】ポリエチレンシートの溶着部分の強度を高め、かつ均一化する。【解決手段】上下２枚のポリエチレンフィルム２１１Ｕ，２１１Ｄに対する新聞８００の後方の溶着を、停止状態で、溶着ヒータ４１０を溶着位置に押し当て行う。この溶着は、押し当てた部分が切断されることなく上下で溶着し、かつ溶着ヒータ４１０の前後で盛り上るように、溶着ヒータ４１０の温度、及び押当て時間を設定する。ポリエチレンフィルムの場合、１３０〜１４８℃で、８０〜１５０ｍｓとする。【選択図】        図１
2004210379.tif 000002
【特許請求の範囲】
【請求項１】
配達する新聞が雨で濡れないように、上下２枚の合成樹脂フィルムの間に新聞を挟み込んでその前後、左右を上下間で溶着し、この溶着部分で切り離して搬送する動作を順次繰返し行う新聞包装装置であって、前記上下２枚の合成樹脂フィルムに対する新聞後方の溶着を、停止状態で、これら上下２枚の合成樹脂フィルムの溶着部位に溶着ヒータを押し当てて、この押し当てた部分の上下２枚の合成樹脂フィルムが切断されることなく溶着し、かつ溶着ヒータの前後で盛り上るように、前記溶着ヒータの温度及び押当て時間を設定して行い、この押当て時間後に搬送を再開して前記溶着ヒータが押し当てられた部分で切り離すようにしたことを特徴とする新聞包装装置。
【請求項２】
前記合成樹脂フィルムがポリエチレンフィルムであり、前記溶着ヒータの温度が１３０〜１４８℃に設定され、かつその押当て時間が８０〜１５０ｍｓに設定されて成る、請求項１記載の新聞包装装置。
【発明の詳細な説明】
【０００１】
【発明の属する技術分野】
本発明は新聞包装装置に関し、特に雨天などの場合に配達する新聞が雨で濡れないように包装する新聞包装装置に属する。
【０００２】
【従来の技術】
雨天などの場合には、配達する新聞が雨で濡れないようにするため、図５（ａ），（ｂ）に示すように、ポリエチレンフィルム（２１１Ｕ，２１１Ｄ）でその周囲を覆って包装するのが一般的となってきた。この新聞包装は、新聞包装装置により、新聞８００を上下２枚のポリエチレンフィルム２１１Ｕ，２１１Ｄで挟み、その搬送方向に対し、前後、左右の４方を溶着した構造となっている。
【０００３】
このような包装を行う新聞包装装置では、新聞の幅より広めのポリエチレンフィルムを上下２本のポリエチレンフィルムロールから供給してその間に新聞を挿入し、その前後左右を溶着する動作を順次くり返すことになり、左右の溶着は単に溶着動作のみでよいが、前後の溶着は、この溶着部分で切り離す必要がある。
【０００４】
このような新聞包装装置の従来の一例を、その前後の溶着、切断手段を主体に説明する（左右両サイドの溶着手段は省略）。
図６は従来の新聞包装装置の一例を示すブロック図、図７（ａ）〜（ｅ）はその新聞包装動作を説明するための側面図、図８はその動作タイミング図である。
【０００５】
この新聞包装装置は、大別すると、新聞８００を上下のポリエチレンフィルム２１１Ｕ，２１１Ｄの間に挿入する新聞挿入部１００と、新聞８００を上下から挟むようにポリエチレンフィルムを供給するフィルム供給部２００と、新聞８００が通過するのを検知してそのポリエチレンフィルムの溶着位置制御に供するセンサ３１０，３２０と、上下のポリエチレンフィルム２１１Ｕ，２１１Ｄを溶着するフィルム溶着部４００ｘと、新聞８００を包装した上下のボリエチレンフィルムをその溶着部分で切り離し、搬送する搬送部５００ｘと、を有して成り、その詳細は次のとおりである。
【０００６】
フィルム供給部２００は、上側のポリエチレンフィルム２１１Ｕを供給するポリエチレンフィルムロール２１０Ｕと、下側のポリエチレンフィルム２１１Ｄを供給するポリエチレンフィルムロール２１０Ｄとを含み、これら上側，下側のポリエチレンフィルム２１１Ｕ，２１１Ｄ間に新聞挿入部１００から供給、挿入された新聞８００を挟み込む。上下のポリエチレンフィルム２１１Ｕ，２１１Ｄは、その前方が、この新聞包装の前に行われた溶着動作で、既に溶着されている。
【０００７】
フィルム溶着部４００ｘは、上下のポリエチレンフィルム２１１Ｕ，２１１Ｄを上下から挟んでこれらを溶着する溶着ヒータ４１０及び受け台４２０と、この溶着ヒータ４１０を受け台４２０に対し昇降制御するヒータ昇降制御部４３０ｘと、溶着ヒータ４１０を加熱してその温度制御を行うヒータ加熱制御部４４０ｘと、を含んで成り、溶着ヒータ４１０及び受け台４２０の前方にセンサ３１０が、後方にセンサ３２０が配置されている。
【０００８】
センサ３２０の後方には、搬送路５１０が配置され、この搬送路５１０は、搬送制御部５２０ｘによりその搬送動作が制御される。この搬送路５１０及び搬送制御部５２０ｘで搬送部５００ｘが構成される。
【０００９】
次に、この新聞包装装置の動作について説明する。
まず、包装対象の新聞８００が、新聞挿入部１００から、上下のポリエチレンフィルム２１１Ｕ，２１１Ｄの間に挿入される（図７（ａ））。すると、センサ３１０により、新聞８００の先端が検知されて搬送制御部５２０ｘにより搬送路５１０が搬送動作を開始し、ポリエチレンフィルム２１１Ｕ，２１１Ｄで挟まれた新聞８００を前方へと搬送し、センサ３２０が新聞８００後端を検知すると、搬送路５１０が停止する（図７（ｂ））。
【００１０】
また、搬送路５１０が停止すると同時に、ヒータ昇降制御部４３０ｘにより溶着ヒータ４１０が下降し、上下のポリエチレンフィルム２１１Ｕ，２１１Ｄを受け台４２０に押し付けて、これらポリエチレンフィルム２１１Ｕ，２１１Ｄの溶着が行われる（図７（ｃ））。この溶着時の温度は、ポリエチレンフィルム２１１Ｕ，２１１Ｄの溶着、切断を含む包装処理時間を短くする、という目的から、１８０〜２１０℃に設定され、またこの溶着時間は６０ｍｓ（５０〜７０ｍｓ）程度である（図８）。
【００１１】
この溶着動作が終わると、溶着ヒータ４１０を上昇させて溶着部分の温度が少し低下したところで搬送路５１０を動かし（この間の時間は３５ｍｓ程度（図８））、この溶着部分を切り離し（図７（ｄ））、この新聞８００の包装が終了する（図７（ｅ））。（例えば、特許文献１参照）
【００１２】
【特許文献１】
特許第２７０４９４１号公報（図１）
【００１３】
【発明が解決しようとする課題】
上述した従来の新聞包装装置は、包装処理時間を短くするという目的から、溶着ヒータ４１０による溶着温度を比較的高い１８０〜２１０℃に、また、その溶着時間を６０ｍｓ程度に設定して、上下のポリエチレンフィルム２１１Ｕ，２１１Ｄを溶着し、その後、３５ｍｓ程度経過してから搬送路５１１を動かして、溶着部分を切り離す、という構成、構造となっており、溶着温度が高く設定されているために、ポリエチレンフィルムの溶融速度が速くなり、溶着ヒータ４１０を押し当てている時間が長くなると、溶融が進み過ぎて溶着が十分でないまま破断してしまい、また、逆に押し当てる時間が短いと、溶融部分が少なく、細い線のようになって、充分な溶着強度が得られず、溶着されない部分も発生して、新聞の運搬、配達中に包装が破れてしまう、という不具合があり、また、何れの場合も、溶着が不均一で、溶着後の切断のとき、溶着位置と異なる位置で切断されてしまうことがあった。
【００１４】
本発明の目的は、上記従来技術の問題点に鑑みて、溶着部分の、溶着ヒータの前後に、比較的広い幅で盛り上がった部分が形成されて、この溶着部分の強度を高め、かつ均一化して、切断位置を明確化して確実に溶着位置で切断されるようにすると共に、運搬、配達時の破損を無くすことができる、新聞包装装置を提供することにある。
【００１５】
【課題を解決するための手段】
本発明の新聞包装装置は、配達する新聞が雨で濡れないように、上下２枚の合成樹脂フィルムの間に新聞を挟み込んでその前後、左右を上下間で溶着し、この溶着部分で切り離して搬送する動作を順次繰返し行う新聞包装装置であって、前記上下２枚の合成樹脂フィルムに対する新聞後方の溶着を、停止状態で、これら上下２枚の合成樹脂フィルムの溶着部位に溶着ヒータを押し当てて、この押し当てた部分の上下２枚の合成樹脂フィルムが切断されることなく溶着し、かつ溶着ヒータの前後で盛り上るように、前記溶着ヒータの温度及び押当て時間を設定して行い、この押当て時間後に搬送を再開して前記溶着ヒータが押し当てられた部分で切り離すようにしたことを特徴とする。
【００１６】
また、前記合成樹脂フィルムがポリエチレンフィルムであり、前記溶着ヒータの温度が１３０〜１４８℃に設定され、かつその押当て時間が８０〜１５０ｍｓに設定されて構成される。
【００１７】
【発明の実施の形態】
本発明の一実施の形態は、配達する新聞が雨で濡れないように、上下２枚の合成樹脂フィルムの間に新聞を挟み込んでその前後、左右を上下間で溶着し、この溶着部分で切り離して搬送する動作を順次繰返し行う新聞包装装置であって、上記上下２枚の合成樹脂フィルムに対する新聞後方の溶着を、停止状態で、これら上下２枚の合成樹脂フィルムの溶着部位に溶着ヒータを押し当てて、この押し当てた部分の上下２枚の合成樹脂フィルムが切断されることなく溶着し、かつ溶着ヒータの前後で盛り上るように、上記溶着ヒータの温度及び押当て時間を設定して行い、この押当て時間後に搬送を再開して上記溶着ヒータが押し当てられた部分で切り離すようにした、構成となっている。
【００１８】
なお、上記合成樹脂フィルムがポリエチレンフィルムである場合には、上記溶着ヒータの温度が１３０〜１４８℃に設定され、かつその押当て時間が８０〜１５０ｍｓに設定される。
【００１９】
このような構成、動作とすることにより、低めの温度で比較的長い時間溶着されるので、溶着部分の、溶着ヒータの前後に、比較的広い幅で合成樹脂（ポリエチレン）が盛り上った部分が形成されて、その部分の強度が増すと同時に、溶着ヒータで切断されることもなく、溶着部分が均一化され、包装された新聞を運搬、配達する際に、この溶着部分が破損するのを無くすことができる。
【００２０】
【実施例】
次に、本発明の実施例について図面を参照して説明する。
図１は本発明の一実施例を示す側面ブロック図、図２（ａ）〜（ｅ）はその動作を説明するための動作順に示された側面図、図３はその溶着ヒータによる溶着状態を示す拡大側面図、図４はその動作を説明するためのタイミング図である。
【００２１】
この実施例が、図６〜図８に示された従来の新聞包装装置と相違する点は、溶着ヒータ４１０によるポリエチレンフィルム２１１Ｕ，２１１Ｄの溶着温度を、従来は１８０〜２１０℃の高温であったのに対し本実施例では１３０〜１４８℃と低めの温度に設定し、溶着時間を、従来は５０〜７０ｍｓであるのに対し本実施例では８０〜１５０ｍｓと長めに設定して、低めの温度で長めの時間で溶着することにより、上下のポリエチレンフィルム２１１Ｕ，２１１Ｄの溶着ヒータ４１０が当接した部分が、切断されることなく溶着し、しかも、溶着ヒータ４１０の前後に、比較的広い幅で盛上り２１２Ｆ，２１２Ｂが形成されるようにした点にある。
【００２２】
従って、溶着部分が切り離された後でも、盛上り２１２Ｆ，２１２Ｂでその強度が高くなり、かつ切れ目も整然として均一化されるので、包装された新聞８００を運搬したり配達するとき、溶着部分が破損することはなく、運搬、配達される新聞８００を、雨水等に対し保護することができる。
【００２３】
また、溶着後、溶着部分の温度を下げる必要がないので、直ちに搬送してその部分を切断することができ（２ｍｓ程度で）、図４に示すように、溶着時間が長くなっても全体の動作時間を８６５ｍｓ程度に抑えることができ、従来例の８５０ｍｓと大差なく行うことができる。
尚、本発明の合成樹脂フィルムにはポリエチレンの他、ポリプロピレン等のポリオレフィン系樹脂、その他一般に包装に用いられる樹脂フィルムが適用でき、さらにこれらの樹脂に炭酸カルシウムなどの添加剤を添加したフィルムも使用できる。この時、溶着ヒータの温度及び押し当て時間は、適用されたフィルムにおいて、押し当てた部分が切断されることなく上下で溶着し、かつ溶着ヒータの前後で盛り上がるように設定する。
【００２４】
【発明の効果】
以上説明したように本発明は、包装対象の新聞を、上下２枚の合成樹脂フィルムの間に挿入して停止させ、その新聞後方の溶着を、これら２枚の合成樹脂フィルムの溶着部位に溶着ヒータを押し当てて、この押し当てた部分の２枚の合成樹脂フィルムが切断されることなく溶着し、かつ溶着ヒータの前後で盛り上るように、溶着ヒータの温度及び押当て時間を設定して行い、この押当て時間後に搬送を再開して溶着部分で切り離す、構成、動作とすることにより、低めの温度で比較的長い時間溶着されるので、合成樹脂フィルムの溶着部分の、溶着ヒータが当接する前後に、比較的広い幅で合成樹脂が盛り上った部分が形成されて、その部分の強度が増すと同時に、溶着ヒータで切断されることもなく、かつ均一化され、包装された新聞を運搬、配達する際に、この溶着部分が破損するのを無くすことができて、包装された新聞を雨水等に対し保護することができる、という効果がある。
【図面の簡単な説明】
【図１】本発明の一実施例を示す側面ブロック図である。
【図２】図１に示された実施例の動作を説明するための動作順に示された側面図である。
【図３】図１に示された実施例の、溶着ヒータによる溶着状態を示す側面図である。
【図４】図１に示された実施例の動作を説明するためのタイミング図である。
【図５】新聞包装装置を用いて、新聞を合成樹脂フィルムで包装した状態を示す外観斜視図及び断面側面図である。
【図６】従来の新聞包装装置の一例を示す側面ブロック図である。
【図７】図６に示された新聞包装装置の動作を説明するための動作順に示された側面図である。
【図８】図６に示された新聞包装装置の動作を説明するためのタイミング図である。
【符号の説明】
１００  新聞挿入部
２００  フィルム供給部
２１０Ｕ，２１０Ｄ  ポリエチレンフィルムロール
２１１Ｕ，２１１Ｄ  ポリエチレンフィルム
２１２Ｂ，２１２Ｆ  盛上り
２５０  前方溶着部
２６０  後方溶着部
２７０，２８０  サイド溶着部
３１０，３２０  センサ
４００，４００ｘ  フィルム溶着部
４１０  溶着ヒータ
４２０  受け台
４３０，４３０ｘ  ヒータ昇降制御部
４４０，４４０ｘ  ヒータ加熱制御部
５００，５００ｘ  搬送部
５１０  搬送路
５２０，５２０ｘ  搬送制御部
８００  新聞
【図１】
2004210379.tif 000003
【図２】
2004210379.tif 000004
【図３】
2004210379.tif 000005
【図４】
2004210379.tif 000006
【図５】
2004210379.tif 000007
【図６】
2004210379.tif 000008
【図７】
2004210379.tif 000009
【図８】
2004210379.tif 000010